(57)【特許請求の範囲】
【請求項１】
バルコニー床の縁部にバルコニー壁が立設されて構成されたバルコニーユニットに設けられ、上記バルコニー床の上方に略平行に配置されるサンルーム庇と、このサンルーム庇に対し略直角に設置されて透光面材を備えるサンルーム壁と、を有して構成されたサンルームにおいて、
上記サンルーム庇を支持する複数本のサンルーム柱が、上記バルコニー壁の頂面に立設されると共に、これらサンルーム柱間に上記サンルーム壁が配置され、
上記バルコニー壁の頂面におけるサンルーム柱の配置位置に柱固定金具が固定され、この柱固定金具を覆うようにして笠木がバルコニー壁の頂面に配置され、この笠木の上面におけるサンルーム柱の配置位置に柱受下ブラケットが配置され、柱受下ブラケットと笠木がそれらを貫通するビスにて柱固定金具に固定され、サンルーム柱の下部が柱受下ブラケットの立上り部を内部に納めて該立上り部に固定されるようにして、サンルーム柱が笠木に立設されたことを特徴とするサンルーム。
【請求項２】
上記サンルーム庇に柱受上ブラケットが固定され、この柱受上ブラケットの立上り部をサンルーム柱の上部の内部に嵌合させ、この立上り部とサンルーム柱とを固定することにより、サンルーム柱の上部がサンルーム庇に取付けられる請求項１に記載のサンルーム。
【請求項３】
上記バルコニー壁は、バルコニー床の前縁部及び側縁部に亘って立設され、このバルコニー壁の頂面とサンルーム壁の下部との間に隙間が形成された請求項１又は２に記載のサンルーム。
【請求項４】
上記サンルーム壁は、バルコニー床の前縁部に対応するバルコニー壁上にのみ配置された請求項１〜３のいずれかに記載のサンルーム。
【請求項５】
上記サンルーム柱は、バルコニー床の前縁部に対応するバルコニー壁の頂面において、その両端部から所定距離だけ内側に立設された請求項４に記載のサンルーム。
【請求項６】
バルコニー床の縁部に立設されたバルコニー壁の笠木上にサンルーム柱を立設し、このサンルーム柱にてサンルーム庇を支持させるサンルームの施工方法において、
上記バルコニー壁の頂面に仮柱を立設し、この仮柱にて上記サンルーム庇を仮支持させた後、
上記バルコニー壁の頂面に、上記仮柱配置箇所を除いて上記笠木を配設し、
次に、上記笠木上にサンルーム柱を立設させ、このサンルーム柱にて上記サンルーム庇を固定支持させ、
その後、上記仮柱を除去し、この仮柱配置箇所におけるサンルーム壁の頂面に上記笠木
を配設したことを特徴とするサンルームの施工方法。
【請求項７】
上部側面に切欠を設けた仮柱及びサンルーム柱を用い、
上記仮柱、上記サンルーム柱の下部をそれぞれバルコニー壁頂面、笠木に取り付けた後、これらの仮柱、サンルーム柱を揺動させ、
上記サンルームに固定の取付ピースを上記仮柱、サンルーム柱のそれぞれ上記切欠に挿通させて、上記取付ピースを上記仮柱、サンルーム柱の内部に位置付け、この取付ピースを用いて上記仮柱、上記サンルーム柱の上部をサンルーム庇に取り付けたものである請求項６に記載のサンルームの施工方法。
【発明の詳細な説明】
【０００１】
【発明の属する技術分野】
本発明は、バルコニーに設けられるサンルームとそのサンルームの施工方法に関する。
【０００２】
【従来の技術】
バルコニーに設けられるサンルームとして、実開昭60-40759号公報に記載のものがある。この公報記載のサンルームは、バルコニーの床デッキ材上に床固定材を介して複数本のサンルーム柱を立設し、このサンルーム柱にてサンルーム庇を支持したものである。
【０００３】
【発明が解決しようとする課題】
ところが、上記公報記載の従来のサンルームでは、サンルーム柱が床デッキ材上に立設され、その内側がサンルームとして利用されるので、バルコニーの内部空間を最大限サンルームとして利用しているものではない。
【０００４】
また、上記公報には、現地で、バルコニーにサンルームを施工する方法について何ら記載されていない。
【０００５】
本発明の課題は、上述の事情を考慮してなされたものであり、バルコニーの内部空間を最大限広く利用できるサンルームを提供すると共に、雨仕舞を考慮しつつ現地で良好にサンルームを施工できるサンルームの施工方法を提供することにある。
【０００６】
【課題を解決するための手段】
請求項１に記載の発明は、バルコニー床の縁部にバルコニー壁が立設されて構成されたバルコニーユニットに設けられ、上記バルコニー床の上方に略平行に配置されるサンルーム庇と、このサンルーム庇に対し略直角に設置されて透光面材を備えるサンルーム壁と、を有して構成されたサンルームにおいて、上記サンルーム庇を支持する複数本のサンルーム柱が、上記バルコニー壁の頂面に立設されると共に、これらサンルーム柱間に上記サンルーム壁が配置され、上記バルコニー壁の頂面におけるサンルーム柱の配置位置に柱固定金具が固定され、この柱固定金具を覆うようにして笠木がバルコニー壁の頂面に配置され、この笠木の上面におけるサンルーム柱の配置位置に柱受下ブラケットが配置され、柱受下ブラケットと笠木がそれらを貫通するビスにて柱固定金具に固定され、サンルーム柱の下部が柱受下ブラケットの立上り部を内部に納めて該立上り部に固定されるようにして、サンルーム柱が笠木に立設されたものである。
【０００７】
請求項２に記載の発明は、請求項１に記載の発明において、上記サンルーム庇に柱受上ブラケットが固定され、この柱受上ブラケットの立上り部をサンルーム柱の上部の内部に嵌合させ、この立上り部とサンルーム柱とを固定することにより、サンルーム柱の上部がサンルーム庇に取付けられるものである。
【０００８】
請求項３に記載の発明は、請求項１又は２に記載の発明において、上記バルコニー壁は、バルコニー床の前縁部及び側縁部に亘って立設され、このバルコニー壁の頂面とサンルーム壁の下部との間に隙間が形成されたものである。
【０００９】
請求項４に記載の発明は、請求項１〜３のいずれかに記載の発明において、上記サンルーム壁は、バルコニー床の前縁部に対応するバルコニー壁上にのみ配置されたものである。
【００１０】
請求項５に記載の発明は、請求項４に記載の発明において、上記サンルーム柱は、バルコニー床の前縁部に対応するバルコニー壁の頂面において、その両端部から所定距離だけ内側に立設されたものである。
【００１１】
請求項６に記載の発明は、バルコニー床の縁部に立設されたバルコニー壁の笠木上にサンルーム柱を立設し、このサンルーム柱にてサンルーム庇を支持させるサンルームの施工方法において、上記バルコニー壁の頂面に仮柱を立設し、この仮柱にて上記サンルーム庇を仮支持させた後、上記バルコニー壁の頂面に、上記仮柱配置箇所を除いて上記笠木を配設し、次に、上記笠木上にサンルーム柱を立設させ、このサンルーム柱にて上記サンルーム庇を固定支持させ、その後、上記仮柱を除去し、この仮柱配置箇所におけるサンルーム壁の頂面に上記笠木を配設したものである。
【００１２】
請求項７に記載の発明は、請求項６に記載の発明において、上部側面に切欠を設けた仮柱及びサンルーム柱を用い、上記仮柱、上記サンルーム柱の下部をそれぞれバルコニー壁頂面、笠木に取り付けた後、これらの仮柱、サンルーム柱を揺動させ、上記サンルームに固定の取付ピースを上記仮柱、サンルーム柱のそれぞれ上記切欠に挿通させて、上記取付ピースを上記仮柱、サンルーム柱の内部に位置付け、この取付ピースを用いて上記仮柱、上記サンルーム柱の上部をサンルーム庇に取り付けたものである
【００１３】
【作用】
請求項１に記載の発明には、次の作用がある。
サンルーム柱がバルコニー壁の頂面の笠木に立設されたので、バルコニー床の全面をサンルームの床として利用できる。この結果、バルコニーの内部空間を最大限広く有効に利用できる。
【００１４】
請求項２に記載の発明には、次の作用がある。
バルコニー壁の頂面に笠木を工場で配設する場合には、同じく工場で、上記笠木にサンルーム柱を立設させ、その後、このサンルーム柱の上部にサンルーム庇が取付けられ、雨仕舞を考慮することなくサンルームを施工できる。
【００１５】
請求項３に記載の発明には、次の作用がある。
バルコニー壁とサンルーム壁の下部との間に隙間が形成されたので、この隙間を通ってサンルーム内に外気を取り入れることができ、サンルームの通気性を良好に確保できる。然も、雨風の当たるサンルームの上部はサンルーム庇及びサンルーム壁により覆われているので、雨風を好適に防ぐことができる。更に、この隙間に手を入れて、サンルーム壁の前面を掃除できる。
【００１６】
請求項４に記載の発明には、次の作用がある。
バルコニー床の前縁部に対応するバルコニー壁上にのみサンルーム壁が配置されたので、バルコニー床の側縁部上方を外気が流れる。このため、サンルーム内の風通しを良好にでき、サンルームをランドリーエリアとした場合の機能を高めることができる。
【００１７】
請求項５に記載の発明には、次の作用がある。
バルコニー床の前縁部に対応するバルコニー壁の頂面において、その両端部から所定距離だけ内側にサンルーム柱が立設されたので、バルコニー床の側縁部上方を流れる外気がサンルーム柱に遮られず、上述の外気の流れを良好にできる。このため、サンルーム内の風通しをより一層良好にできる。
【００１８】
請求項６に記載の発明には、次の作用がある。
バルコニー壁の頂面に笠木を配設する前に、仮柱を用いてサンルーム庇を設置（仮支持）したことから、現地施工において、上記サンルーム庇により雨仕舞を確保しつつサンルームを施工できる。
【００１９】
請求項７に記載の発明には、次の作用がある。
仮柱、サンルーム柱の上部側面に切欠が形成され、これら仮柱、サンルーム柱の取付時に、サンルーム庇に固定の取付ピースが上記切欠を挿通して仮柱、サンルーム柱の内部に位置付けられるので、仮柱、サンルーム柱の取付時にサンルーム庇を移動させる必要がなく、仮柱、サンルーム柱を容易に取り付けることができる。
【００２０】
【発明の実施の形態】
[A] 第１の実施の形態
図１は、本発明に係るサンルームの第１の実施の形態を示す側断面図である。図２は、図１のサンルームの平断面図である。図３は、図１の一部を拡大して詳細に示す部分側断面図である。図４は、図３のIV-IV 線に沿う断面図である。図５は、図１のサンルームを示す斜視図である。図６は、図１及び図３のサンルーム柱下部の結合部分を示し、（Ａ）が側断面図、（Ｂ）が組立斜視図である。図７は、図１及び図３のサンルーム柱上部の結合部分を示す組立斜視図である。
【００２１】
図１〜図５に示すように、サンルーム１０は、バルコニー床１２及びバルコニー壁１３を備えてなるバルコニーユニット１１に設置され、このバルコニーユニット１１は、建物ユニット９の側面に設置され、る。上記バルコニー壁１３は、バルコニー床１２の前縁部及び両側縁部から立設され、このバルコニー壁１３の全ての頂面１４に、図６にも示す笠木１５が設置される。ここで、バルコニー床１２の前縁部から立設されたバルコニー壁１３をバルコニー前壁１３Ａと称し、バルコニー床１２の側縁部から立設されたバルコニー壁１３をバルコニー側壁１３Ｂと称する。
【００２２】
サンルーム１０は、複数本のサンルーム柱１６、サンルーム庇１７、透光面材１８を備えたサンルーム壁１９、及び面材支持体２０を有して構成される。
【００２３】
サンルーム庇１７は、図１、図３及び図５に示すように、前桁２１、後桁２２、両横桁２３にて枠形状が構成され、前桁２１と後桁２２との間に複数本の垂木２４が装架されたものであり、垂木２４間に透光面材２５が配設される。この透光面材２５は、サンルーム壁１９の透光面材１８と同様にポリカーボネイト又は網入りガラス等にて構成されて、サンルーム１０内への採光が図られる。
【００２４】
後桁２２は、サンルーム１０に隣接する建物ユニット９の桁梁２６に固定され、また、前桁２１は、サンルーム柱１６に後述の如く支持されて、サンルーム庇１７はバルコニー床１２の上方に、このバルコニー床１２と略平行に配置される。上記サンルーム柱１６は、図１、図３及び図５に示すように、バルコニー壁１３の頂面１４に配設された笠木１５に立設されてサンルーム庇１７を支持し、このサンルーム庇１７に対し略直角に設置される。
【００２５】
つまり、図３及び図６に示すように、バルコニー前壁１３Ａ、バルコニー側壁１３Ｂの頂面１４には、サンルーム柱１６の配置位置に柱固定金具２７がビス２８又はボルトにて固定され、この柱固定金具２７を覆うようにして笠木１５がバルコニー前壁１３Ａ及びバルコニー側壁１３Ｂのそれぞれの頂面１４に配設される。そして、この笠木１５上面において、サンルーム柱１６の配置位置に柱受下ブラケット２９が、笠木１５を貫通するビス２８にて笠木１５上面に固定される。サンルーム柱１６の下部は、柱受下ブラケット２９の立上り部３０を内部に納めるようにしてこの立上り部３０に嵌合され、ビス２８を用いて立上り部３０に固定されて、バルコニー前壁１３Ａ、バルコニー側壁１３Ｂ及び笠木１５に取り付けられる。
【００２６】
また、図３及び図７に示すように、サンルーム庇１７の前桁２１の前方部２１Ａには、柱受上ブラケット３１がビス２８又はボルトにて固定される。この柱受上ブラケット３１の立上り部３２をサンルーム柱１６の上部の内部に嵌合させ、この立上り部３２とサンルーム柱１６とをビス２８又はボルトにて固定することにより、サンルーム柱１６の上部がサンルーム庇１７の前桁２１に取り付けられる。
【００２７】
前記サンルーム壁１９は、図１、図３〜図５に示すように、複数本のサンルーム柱１６間に配置され、上枠１３、下枠３４及び両横枠３５にて透光面材１８の縁部を支持したものである。このサンルーム壁１９も、サンルーム柱１６と同様にサンルーム庇１７に対し略直角に配設される。このサンルーム壁１９の透光面材１８も、サンルーム庇１７の透光面材２５と同様に、サンルーム１０内への採光を図るものであるが、霞ガラスを用いてサンルーム１０の内部が外側から透視できないようにしても良い。
【００２８】
前記面材支持体２０は、図１、図３及び図５に示すように、サンルーム壁１９の下枠３４を支持するものである。この面材支持体２０は、複数のサンルーム柱１６間に笠木１５と平行に装架されて、この面材支持体２０と笠木１５との間に隙間３６が形成される。面材支持体２０は、下枠３４を支持すると共に、手摺としての機能を備え、バルコニー床１２からの距離Ｌ1 が1100mm以下に、笠木１５からの距離Ｌ2 が110mm 以下（本実施の形態ではＬ2 ≒100mm ）に設定される。距離Ｌ2 を上述の如く設定したのは、転落防止を図るためである。また、図２に示すように、上記隙間３６を通して、サンルーム１０の内外の空気が出入する。
【００２９】
尚、図３中の符号３７は雨樋であり、サンルーム庇１７の透光面材２５上に降り注ぎ、前桁２１の後方部２１Ｂに集められた雨水を排水溝等へ導く。
【００３０】
上記実施の形態のサンルーム１０によれば、次の▲１▼〜▲３▼の効果を奏する。
▲１▼サンルーム柱１６がバルコニー前壁１３Ａ及びバルコニー側壁１３Ｂの頂面１４の笠木１５に立設されたので、バルコニー床１２の全面をサンルーム１０の床として利用できる。この結果、バルコニーユニット１１の内部空間をサンルーム１０の内部空間として最大限広く有効に利用できる。
【００３１】
▲２▼バルコニー前壁１３及びバルコニー側壁１３Ｂの頂面１４に笠木１５を工場で配設する場合には、同じく工場で、笠木１５にサンルーム柱１６を立設させ、その後、このサンルーム柱１６にてサンルーム庇１７を支持させることができるので、雨仕舞を考慮することなくサンルーム１０を施工できる。
【００３２】
▲３▼バルコニー前壁１３Ａ及びバルコニー側壁１３Ｂに設置された笠木１５と、サンルーム壁１９の下枠３４を支持する面材支持体２０との間に隙間３６が形成されたので、この隙間３６を通ってサンルーム１０内に外気を取り入れることができ、サンルーム１０の通風を確保できる。然も、雨風の当たるサンルーム１０の上部はサンルーム庇１７及びサンルーム壁１９により覆われているので、雨風を好適に防ぐことができる。更に、この隙間３６に手を入れて、サンルーム壁１９の透光面材１８の前面を掃除できる。
【００３３】
[B] 第２の実施の形態
図８は、本発明に係るサンルームの第２の実施の形態を示す斜視図である。この第２実施の形態において、前記第１の実施の形態と同様な部分は、同一の符号を付すことにより説明を省略する。
【００３４】
この第２の実施の形態のサンルーム４０は、サンルーム柱１６がバルコニー前壁１３Ａの笠木１５にのみ立設されると共に、サンルーム壁１９がバルコニー前壁１３Ａ上方にのみ配置されたものである。更に、サンルーム壁１９の下枠３４は、面材支持体２０を介することなく直接笠木１５に支持される。従って、このサンルーム４０では、面材支持体２０及び隙間３６が削除されている。また、このサンルーム４０では、バルコニー側壁１３Ｂ上にサンルーム壁１９が存在しないので、この両バルコニー側壁１３Ｂとサンルーム庇１７との開口部４１を通って外気が流れる。
【００３５】
従って、このサンルーム４０によれば、前記実施の形態の効果▲１▼及び▲２▼に加え、次の効果▲４▼を奏する。
▲４▼バルコニー床１２の前縁部に対応するバルコニー前壁１３Ａ上にのみサンルーム壁１９が配置されたので、バルコニー側壁１３Ｂの上方の開口部４１を外気が流れる。このため、サンルーム４０内の風通しを良好にでき、このサンルーム４０をランドリーエリアとした場合の機能を高めることができる。
【００３６】
[C] 第３の実施の形態
図９は、本発明に係るサンルームの第３の実施の形態を示す平断面図である。この第３の実施の形態において、前記第１及び第２の実施の形態と同様な部分は、同一の符号を付すことにより説明を省略する。
【００３７】
この第３の実施の形態のサンルーム５０においても、前記サンルーム４０と同様に、両バルコニー側壁１３Ｂとサンルーム庇１７との間に開口部４１が形成され、面材支持体２０及び隙間３６が廃止されている。更に、このサンルーム５０では、バルコニー前壁１３Ａの笠木１５に立設されるサンルーム柱１６が、バルコニー前壁１３Ａの両端部から所定距離だけ内側に配置される。
【００３８】
従って、このサンルーム５０によれば、前記サンルーム１０の効果▲１▼及び▲２▼並びに前記サンルーム４０の効果▲４▼に加え、次の効果▲５▼を奏する。
▲５▼バルコニー前壁１３Ａの頂面１４に設置された笠木１５において、その両端部から所定距離だけ内側にサンルーム庇１６が立設されたので、両バルコニー側壁１３Ｂ上方の開口部４１を流れる外気がサンルーム柱１６に遮られず、上述の外気の流れを良好にできる。このため、サンルーム５０内の風通しをより一層良好にできる。
【００３９】
[D] 第４の実施の形態、第５の実施の形態、第６の実施の形態
図１０は、本発明に係るサンルームの第４の実施の形態を示す平断面図である。図１１は、本発明に係るサンルームの第５の実施の形態を示す側断面図である。図１４は、本発明に係るサンルームの第６の実施の形態を示す平断面図である。これらの第４、第５及び第６の実施の形態において、前記第１、第２及び第３の実施の形態と同様な部分は、同一の符号を付すことにより説明を省略する。
【００４０】
前述のサンルーム１０、４０及び５０が隣接した建物ユニット９の桁側に配置されたものであったが、第４の実施の形態のサンルーム６０は、隣接した建物ユニット６１の妻側に配置されたキャンチバルコニー６２に設けられたものであり、その構造は、上記第３の実施の形態のバルコニー５０と同様である。
【００４１】
第５の実施の形態のサンルーム７０は、前述のサンルーム１０、４０又は５０がユニット建物７１の最上階に配置されたものであり、符号７２は建物の庇を示す。
【００４２】
上述のサンルーム６０によれば、第３の実施の形態のサンルーム５０と同様に効果▲１▼、▲２▼、▲４▼及び▲５▼を奏し、上記サンルーム７０によれば、効果▲１▼〜▲５▼を奏する。
【００４３】
第６の実施の形態のサンルーム８０は、居室部８１とインナーバルコニー部８２とが一体化されてなる建物ユニット８３の桁側に配置されたものであり、このサンルーム８０においても、第３の実施の形態のサンルーム５０と同様の効果▲１▼、▲２▼、▲４▼及び▲５▼を奏する。
【００４４】
[E] 施工方法（その１）
上述の各実施の形態のサンルーム１０、４０、５０、６０、７０及び８０は、工場で施工される場合には、前述の効果▲２▼如く、バルコニー前壁１３Ａ、バルコニー側壁１３Ｂの頂面１４に笠木１５を配設し、次に、この笠木１５に柱固定金具２７及び柱受下ブラケット２９を介してサンルーム柱１６を立設し、その後、サンルーム庇１７の後桁２２を隣接した建物ユニットに固定すると共に、このサンルーム庇１７に固定の柱受上ブラケット３１を介してサンルーム柱１６の上部をサンルーム庇１７に固定して、サンルーム柱１６にてサンルーム庇１７を支持させて、サンルーム１０、４０、５０、６０、７０、８０を施工する。
【００４５】
[F] 施工方法（その２）
サンルーム１０、４０、５０、６０、７０及び８０を現地で施工する場合には、雨仕舞を考慮して、図１２及び図１３に示す以下の手順(1) 〜(5) を実施する。
【００４６】
図１２及び図１３では、サンルーム５０を施工する場合を代表的に示す。また、この施工の場合には、サンルーム柱９０、仮柱９１及び仮固定金具９２を用いる。
【００４７】
仮固定金具９２は、図１２（Ｂ）及び（Ｃ）に示すように、柱受下ブラケット２９の立上り部３０と同形状の立上り部９３が、バルコニー壁１３の上部に嵌合可能な基部９４に一体化されたものであり、立上り部９３に仮柱９１の下部が嵌合可能に設けられる。また、サンルーム柱９０及び仮柱９１は、図１２（Ｃ）に示すように、上部側面に切欠９５を備え、サンルーム柱９０と仮柱９１の取付時に、この切欠９５が、サンルーム庇１７の下面に固定の取付ピースとしての前記柱受上ブラケット３１を挿通可能とする。
【００４８】
(1) 現地でサンルーム５０を施工するには、図１２（Ａ）に示すように、先ず、クレーン９６等を用いてサンルーム庇１７を持ち上げ、このサンルーム庇１７の後桁２２を隣接した建物ユニットに固定する。
【００４９】
(2) 次に、クレーン９６にてサンルーム庇１７を懸吊した状態で、図１２（Ｂ）及び（Ｃ）に示すように、バルコニー前壁１３Ａの頂面１４の所定位置に仮固定金具９２の基部９４を嵌合させ、この仮固定金具９２の立上り部９３に仮柱９１の下部を嵌め込む。この状態で、図１２（Ｄ）に示すように、仮柱９１を、仮固定金具９２を中心に揺動させて立設し、予めサンルーム庇１７の下面に固定された仮柱９１用の柱受上ブラケット３１を仮柱９１の切欠９５に挿通させて仮柱９１の内部に位置付ける。そして、柱受上ブラケット３１のビス穴と仮柱９１上部のビス穴（図７参照）にビス２８の代わりに貫通棒を貫通させて、この仮柱９１によりサンルーム庇１７を仮支持させる。
【００５０】
(3) 次に、図１３（Ｅ）に示すように、バルコニー側壁１３Ｂの頂面１４に笠木１５を設置し、更に、バルコニー前壁１３Ａの頂面１４には、仮柱９１が配置された箇所を除き、且つサンルーム柱９０が配置される箇所を含む領域に笠木１５を設置する。図１３のハッチング部は笠木１５を示す。
【００５１】
(4) 次に、図１３（Ｆ）に示すように、バルコニー前壁１３Ａの頂面１４において笠木１５が設置された所定箇所にサンルーム柱９０を取り付ける。このとき、サンルーム柱９０が設置される笠木１５の下部と笠木１５上面には、上記手順(3) において、図６に示す柱固定金具２７と柱受下ブラケット２９がそれぞれ固定されており、この柱受下ブラケット２９の立上り部３０にサンルーム柱９０の下部を嵌め込む。この状態で、仮柱９１の場合と同様に、サンルーム柱９０を柱受下ブラケット２９を中心に揺動させて立設し、予めサンルーム庇１７の下面に固定されたサンルーム柱９０用の柱受上ブラケット３１をサンルーム柱９０の切欠９５に挿通させて、サンルーム柱９０の内部に位置付ける。そして、柱受上ブラケット３１とサンルーム柱９０の上部とを図７に示すようにビス２８を用いて固定し、このサンルーム柱９０によりサンルーム庇１７を固定支持する。
【００５２】
(5) 最後に、図１３（Ｇ）に示すように、仮柱９１を除去し、仮固定金具９２を取り除いて、この仮固定金具９２が嵌め込まれていた仮柱９１の配置箇所を含むバルコニー前壁１３Ａの頂面１４に笠木１５を設置して、サンルーム５０の現地施工を完了する。
【００５３】
上記手順(1) 〜(5) に示すサンルーム５０の現地施工によれば、次の効果▲６▼及び▲７▼を奏する。
▲６▼バルコニー前壁１３Ａの頂面１４に笠木１５を配設する前に、仮柱９１を用いてサンルーム庇１７を設置（仮支持）したことから、現地施工において、上記サンルーム庇１７により雨仕舞を確保しつつサンルーム５０を施工できる。
【００５４】
▲７▼仮柱９１、サンルーム柱９０の上部側面に切欠９５が形成され、これら仮柱９１、サンルーム柱９０の取付時に、サンルーム庇１７に固定の柱受上ブラケット３１が上記切欠９５を挿通して、仮柱９１、サンルーム柱９０の内部に位置付けられるので、仮柱９１、サンルーム柱９０の取付時にサンルーム庇１７を移動させる必要がなく、仮柱９１、サンルーム柱９０を容易に取り付けることができる。
【００５５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、サンルーム柱１６、９０の下部は、笠木１５上面ではなく、バルコニー前壁１３Ａ、バルコニー側壁１３Ｂの頂面１４にブラケットを介して又は直接固定されても良い。また、第１の実施の形態のサンルーム１０においては、サンルーム壁１９の下枠３４を十分な強度をもって構成すれば、面材支持体２０を廃止できる。この場合には、サンルーム壁１９の下枠３４と笠木１５との間に隙間３６が形成される。
【００５６】
【発明の効果】
以上のように、本発明に係るサンルームによれば、バルコニーの内部空間をサンルームの内部空間として最大限広く利用でき、また、本発明に係るサンルームの施工方法によれば、雨仕舞を考慮しつつ現地で良好にサンルームを施工できる。
【図面の簡単な説明】
【図１】図１は、本発明に係るサンルームの第１の実施の形態を示す側断面図である。
【図２】図２は、図１のサンルームの平断面図である。
【図３】図３は、図１の一部を拡大して詳細に示す部分側断面図である。
【図４】図４は、図３のIV-IV 線に沿う断面図である。
【図５】図５は、図１のサンルームを示す斜視図である。
【図６】図６は、図１及び図３のサンルーム柱下部の結合部分を示し、（Ａ）が側断面図、（Ｂ）が組立斜視図である。
【図７】図７は、図１及び図３のサンルーム柱上部の結合部分を示す組立斜視図である。
【図８】図８は、本発明に係るサンルームの第２の実施の形態を示す斜視図である。
【図９】図９は、本発明に係るサンルームの第３の実施の形態を示す平断面図である。
【図１０】図１０は、本発明に係るサンルームの第４の実施の形態を示す平断面図である。
【図１１】図１１は、本発明に係るサンルームの第５の実施の形態を示す側断面図である。
【図１２】図１２は、本発明に係るサンルームの施工方法の一つの実施の形態の前半部分を示す手順図である。
【図１３】図１３は、図１２におけるサンルームの施工方法の後半部分を示す手順図である。
【図１４】図１４は、本発明に係るサンルームの第６の実施の形態を示す平断面図である。
【符号の説明】
１０  サンルーム
１１  バルコニーユニット
１２  バルコニー床
１３  バルコニー壁
１３Ａ  バルコニー前壁
１３Ｂ  バルコニー側壁
１４  頂面
１５  笠木
１６  サンルーム柱
１７  サンルーム庇
１８  透光面材
１９  サンルーム壁
２０  面材支持体
２９  柱受下ブラケット
３１  柱受上ブラケット（取付ピース）
３６  隙間
４０  サンルーム
４１  開口部
５０  サンルーム
６０  サンルーム
９０  サンルーム柱
９１  仮柱
９５  切欠
【図１】
0003769372.tif 000002
【図２】
0003769372.tif 000003
【図３】
0003769372.tif 000004
【図４】
0003769372.tif 000005
【図５】
0003769372.tif 000006
【図６】
0003769372.tif 000007
【図７】
0003769372.tif 000008
【図８】
0003769372.tif 000009
【図９】
0003769372.tif 000010
【図１０】
0003769372.tif 000011
【図１１】
0003769372.tif 000012
【図１２】
0003769372.tif 000013
【図１３】
0003769372.tif 000014
【図１４】
0003769372.tif 000015